(57)【特許請求の範囲】
【請求項１】
直立または平置きの方式で支持面の上に置くことができるマウスであって、
ハウジングと、
前記ハウジングの中に設けられる電源と、
前記ハウジングの中に設けられる電源スイッチユニットと、を備え、
前記電源スイッチユニットは、
回転軸と、
前記回転軸を旋回する重量体と、
前記電源に電気的に連結し、第一電極接点と第二電極接点とを有するスイッチ回路基板とを含み、
前記重量体は第一方位と第二方位との間に回転し、前記マウスが直立の時、前記重量体は前記第一方位に位置し、前記マウスが平置きの時、前記重量体は前記第二方位に回転し、
前記重量体は前記第二方位に位置した時、前記重量体は第一電極接点と第二電極接点を導通することによって、前記電源を起動させ、前記重量体は前記第一方位に位置した時、前記重量体は前記第一電極接点と前記第二電極接点に分離されることを特徴とするマウス。
【請求項２】
前記重量体はＬ形を呈し、前記重量体の一方の端部は前記回転軸を旋回し、前記重量体は前記第二方位に位置した時、前記重量体の他方の端部は前記第一電極接点と前記第二電極接点とに接触することを特徴とする請求項１に記載のマウス。
【請求項３】
バリケードを更に含み、前記重量体は第一方位に位置した時、前記重量体は前記バリケードに接することを特徴とする請求項１に記載のマウス。
【請求項４】
前記ハウジングは握り部と、スライド部と、直立部とを含み、前記直立部は前記握り部と前記スライド部に連接し、前記直立部は弧状を呈することを特徴とする請求項１に記載のマウス。
【請求項５】
前記電源は、前記直立部に隣接する電池ユニットであることを特徴とする請求項４に記載のマウス。
【請求項６】
前記ハウジングは握り部と、スライド部と、直立部とを含み、前記直立部は前記握り部と前記スライド部に連接し、前記直立部は平面を呈することを特徴とする請求項１に記載のマウス。
【請求項７】
直立または平置きの方式で支持面の上に置くことができるマウスであって、
ハウジングと、
前記ハウジングの中に設けられる電源と、
前記ハウジングの中に設けられる電源スイッチユニットと、を備え、
前記電源スイッチユニットは、
回転軸と、
前記回転軸を旋回する重量体と、
前記電源に電気的に連結されるスイッチ部材とを含み、
前記重量体は第一方位と第二方位との間に回転し、前記マウスが直立の時、前記重量体は前記第一方位に位置し、前記マウスが平置きの時、前記重量体は前記第二方位に回転し、
前記重量体は前記第二方位に位置した時、前記重量体は前記スイッチ部材を押すことによって前記電源を起動させ、前記重量体は前記第一方位に位置した時、前記重量体は前記スイッチ部材に分離されることを特徴とするマウス。
【請求項８】
前記重量体はＬ形を呈し、前記重量体の一方の端部は前記回転軸を旋回し、前記重量体は前記第二方位に位置した時、前記重量体の他方の端部は前記スイッチ部材を押すことを特徴とする請求項７に記載のマウス。
【請求項９】
バリケードを更に含み、前記重量体は第一方位に位置した時、前記重量体は前記バリケードに接することを特徴とする請求項７に記載のマウス。
【請求項１０】
前記ハウジングは握り部と、スライド部と、直立部とを含み、前記直立部は前記握り部と前記スライド部に連接し、前記直立部は弧状を呈することを特徴とする請求項７に記載のマウス。
【請求項１１】
前記電源は、前記直立部に隣接する電池ユニットであることを特徴とする請求項１０に記載のマウス。
【請求項１２】
前記ハウジングは握り部と、スライド部と、直立部とを含み、前記直立部は前記握り部と前記スライド部に連接し、前記直立部は平面を呈することを特徴とする請求項７に記載のマウス。
【請求項１３】
直立、或いは平置きの方式で支持面の上に置くことができるマウスであって、
ハウジングと、
前記ハウジングの中に設けられる電源と、
前記ハウジングの中に設けられる電源スイッチユニットと、を含み、
前記電源スイッチユニットは、
回転軸と、
前記回転軸を旋回する重量体と、
前記回転軸の上に設けられる第一電極接点と、
前記回転軸の上に設けられる第二電極接点とを含み、
前記重量体は第一方位と第二方位との間に回転し、前記マウスが直立の時、前記重量体は前記第一方位に位置し、前記マウスが平置きの時、前記重量体は前記第二方位に回転し、
前記重量体は前記第二方位に位置した時、前記重量体は第一電極接点と第二電極接点を導通することによって、前記電源を起動させることを特徴とするマウス。
【請求項１４】
前記重量体はＬ形を呈し、前記重量体の一端は前記回転軸を旋回し、前記重量体は導電パッドを含み、前記重量体が前記第二方位に位置した時、前記導電パッドは前記第一電極接点と前記第二電極接点を導通することを特徴とする請求項１３に記載のマウス。
【請求項１５】
バリケードを更に含み、前記重量体は第一方位に位置した時、前記重量体は前記バリケードに接することを特徴とする請求項１３に記載のマウス。
【請求項１６】
前記ハウジングは握り部と、スライド部と、直立部とを含み、前記直立部は前記握り部と前記スライド部に連接し、前記直立部は弧状を呈することを特徴とする請求項１３に記載のマウス。
【請求項１７】
前記電源は、前記直立部に隣接する電池ユニットであることを特徴とすることを特徴とする請求項１６に記載のマウス。
【請求項１８】
前記ハウジングは握り部と、スライド部と、直立部とを含み、前記直立部は前記握り部と前記スライド部に連接し、前記直立部は平面を呈することを特徴とする請求項１３に記載のマウス。
【発明の詳細な説明】
【技術分野】
【０００１】
本発明は、マウスに関し、特に、電力を節約できるマウスに関するものである。
【背景技術】
【０００２】
従来の無線光学マウスは、単に、ユーザーが長時間キーを押さない時のみ、自動的に電源を消す。しかし、ユーザーがマウスを使用しないことを確定できるのは相当長い待ち時間が掛かるので、相当に多くの電力が浪費され、無線光学マウスは充電後に使用できる時間が短縮される。
【発明の概要】
【発明が解決しようとする課題】
【０００３】
本発明の目的は、電力を節約できるマウスを提供することにある。
【課題を解決するための手段】
【０００４】
本発明は、従来技術の問題を解決するために、ハウジングと、電源と、電源スイッチユニットとを含み、直立、或いは平置きの方式で支持面の上に置くことができるマウスを提供する。電源はハウジングの中に設けられる。電源スイッチユニットはハウジングの中に設けられ、電源スイッチユニットは、回転軸と、重量体（weight element）と、スイッチ回路基板とを含む。重量体は回転軸を旋回し、重量体は第一方位と第二方位との間に回転し、マウスが直立の時、重量体は第一方位に位置し、マウスが平置きの時、重量体は第二方位に回転する。スイッチ回路基板は電源を連結（electrically connected）し、第一電極接点と第二電極接点を含み、重量体が第二方位に位置した時、重量体は第一電極接点と第二電極接点を導通することによって、電源を起動させる。重量体が第一方位に位置した時、重量体は第一電極接点と第二電極接点に分離する。
【０００５】
本発明の実施態様のマウスを応用すると、マウスが直立状態にある時、電源スイッチユニットは電源を自動的に消すことができるので、実施例のマウスは即時に電源を消すことができる。従って、電気エネルギーの浪費を避け、無線光学マウスが充電後に使用できる時間を延長することができる。
【発明の効果】
【０００６】
本発明のマウスによれば、電気エネルギーの浪費を避け、無線光学マウスが充電後に使用できる時間を延長することができる。
【図面の簡単な説明】
【０００７】
【図１Ａ】本発明の第一実施例のマウスが支持面（テーブル）上に直立する状態を示す図である。
【図１Ｂ】本発明の第一実施例のマウスが支持面（テーブル）上に平置きされ、使用される状態を示す図である。
【図２Ａ】図１Ａのマウスを示す断面図である。
【図２Ｂ】図１Ｂのマウスを示す断面図である
【図３】スイッチ回路基板の細部構造を示す図である。
【図４】本発明の実施例のマウスの電気回路を示すブロック図である。
【図５Ａ】本発明の第二実施例のマウスを示す図である。
【図５Ｂ】本発明の第二実施例のマウスを示す図である。
【図６Ａ】本発明の第三実施例のマウスを示す図である。
【図６Ｂ】本発明の第三実施例のマウスを示す図である。
【図７】本発明の第四実施例のマウスを示す図である。
【発明を実施するための形態】
【０００８】
本発明についての目的、特徴、長所が一層明確に理解されるよう、以下に実施形態を例示し、図面を参照にしながら、詳細に説明する。
【実施例】
【０００９】
図１Ａと図１Ｂを参照すると、本発明の第一実施例のマウス１００を表している。図１Ａはマウス１００が支持面（テーブル）１上に直立する状態を表している。図１Ｂはマウス１００が支持面（テーブル）１上に平置きされ、使用される状態を表している。
【００１０】
図２Ａは図１Ａのマウス１００の断面図であり、図２Ｂは図１Ｂのマウス１００の断面図である。図２Ａと図２Ｂを参照すると、マウス１００はハウジング１１０と、電源（図示しない）と、電源スイッチユニット１２０とを含む。電源はハウジング１１０の中に設けられる。電源スイッチユニット１２０は、ハウジング１１０の中に設けられる。電源スイッチユニット１２０は、回転軸１２１と、重量体１２２と、スイッチ回路基板１２３とを含む。重量体１２２は回転軸１２１を旋回し、重量体１２２は第一方位（図２Ａに示すように）と第二方位（図２Ｂに示すように）との間を回転する。マウス１００が直立の時、重量体１２２は第一方位に位置し、マウス１００が平置きの時、重量体１２２は第二方位に回転する。スイッチ回路基板１２３は電源を電気的に連結（electrically connected）する。図３を参照すると、スイッチ回路基板１２３は第一電極接点１２３１と第二電極接点１２３２を含み、重量体１２２が第二方位にある時、重量体１２２は第一電極接点１２３１と第二電極接点１２３２を導通することによって、電源を起動させる。図３において、重量体１２２は点線によってその端部を表す。図２Ａ、図２Ｂ、図３を参照すると、重量体１２２はＬ形を呈し、重量体１２２の一方の端部は回転軸１２１を旋回し、重量体１２２が第二方位に位置した時、重量体１２２の他方の端部は第一電極接点１２３１と第二電極接点１２３２とに接触する。
【００１１】
図２Ａと図２Ｂを参照すると、マウス１００はバリケード１３０を更に含み、重量体１２２が第一方位に位置した時、重量体１２２はバリケード１３０に接する。
【００１２】
図４を参照すると、電源１４０はスイッチ回路基板１２３と電気接続し、スイッチ回路基板１２３はマウス回路基板１５０と電気接続する。電源１４０が提供する電力はスイッチ回路基板１２３を通ってマウス回路基板１５０に入る。
【００１３】
図１Ａと図１Ｂを参照すると、ハウジングは握り部１１１と、スライド部１１２と、直立部１１３とを含み、直立部１１３は握り部１１１とスライド部１１２に連接し、直立部１１３は弧状を呈する。設計上において、マウス１００の重心を直立部１１３の近くに置くことによって、マウス１００はタンブラーの原理で、簡単に、直立状態に維持させることができる。例えば、マウス１００の電池ユニット（電源）をハウジング１１０の中に設けると共に、直立部１１３に隣接することができる。或いは、追加の重量体を直立部１１３に隣接する位置に設置することができる。
【００１４】
図５Ａと図５Ｂを参照すると、本発明の第二実施例のマウス１０１を表している。その特徴は、スイッチ回路基板１２３の代わりにスイッチ部材１２３’を用いて、重量体１２２が第二方位にある時、重量体１２２がスイッチ部材１２３’を押すことによって、電源を起動させる。スイッチ部材１２３’はコンタクト式スイッチ、或いはその他の形式のスイッチである。
【００１５】
図６Ａと図６Ｂを参照すると、本発明の第三実施例のマウス１０２を表している。その特徴は、スイッチ回路基板１２３を省略し且つ第一電極接点１２３１と第二電極接点１２３２を回転軸１２１の上に設ける。重量体１２２は導電パッド１２２１を含み、重量体１２２が第二方位にある時、導電パッド１２２１は第一電極接点１２３１と第二電極接点１２３２を導通することによって、電源を起動させる。また、本発明の第三実施例のマウス１０２はバリケード１３０’を更に含み、重量体１２２の回転角度を制限するのに用いられる。
【００１６】
図７を参照すると、本発明の第四実施例のマウス１０３を表している。その特徴は、マウス１０３を直立させるために、直立部１１３’は平面である。図７の実施例は前述のいずれかの実施例に合わせて使用することができる。
【００１７】
本発明の実施例のマウスを応用し、マウスが直立状態にある時、電源スイッチユニットは電源を自動的に消すことができるので、実施例のマウスは即時に電源を消すことができる。従って、電源（電池ユニット）の消費電力を低減させ、無線光学マウスが充電後に使用できる時間を延長することができる。
【００１８】
以上、本発明の好適な実施例を例示したが、図または説明書の説明では、類似または同一の部分は、同一の符号を用いている。また、図では、実施例の形状または厚さは拡大することができ、標示を簡易化することができる。また、図中の各構成要素の部分はそれぞれ説明されるが注意するのは、これは本発明を限定するものではなく、本発明の精神及び範囲を逸脱しない限りにおいては、当業者であれば行い得る少々の変更や修飾を付加することが可能である。従って、本発明が請求する保護範囲は、特許請求の範囲を基準とする。
【符号の説明】
【００１９】
１  支持面
１００、１０１、１０２、１０３  マウス
１１０  ハウジング
１１１  握り部
１１２  スライド部
１１３、１１３’  直立部
１２０  電源スイッチユニット
１２１  回転軸
１２２  重量体
１２３  スイッチ回路基板
１２３’  スイッチ部材
１２３１  第一電極接点
１２３２  第二電極接点
１３０、１３０’  バリケード
１４０  電源
１５０  マウス回路基板
【図１Ａ】
0005284379.tif 000002
【図１Ｂ】
0005284379.tif 000003
【図２Ａ】
0005284379.tif 000004
【図２Ｂ】
0005284379.tif 000005
【図３】
0005284379.tif 000006
【図４】
0005284379.tif 000007
【図５Ａ】
0005284379.tif 000008
【図５Ｂ】
0005284379.tif 000009
【図６Ａ】
0005284379.tif 000010
【図６Ｂ】
0005284379.tif 000011
【図７】
0005284379.tif 000012